(57)【特許請求の範囲】
【請求項１】
ケーシングを挿通する空間部を有するベースフレームと、このベースフレーム上に昇降自在に設けられる昇降フレームと、この昇降フレームに回転自在に取り付けられる回転体と、この回転体に取り付けられ、上記ケーシングを把持するケーシング把持手段とを有するケーシングドライバに付設され、床面を形成する足場部と、この足場部に着脱可能に立設される手すりと、上記足場部の複数箇所に配置され、上記手すりを立設状態に保持する保持手段と、上記足場部に着脱可能に取り付けられる昇降用はしごとを備えたケーシングドライバの作業用足場において、
上記保持手段は、上記手すりの脚部が係合するものから成り、
上記昇降用はしごが、上記複数の保持手段のそれぞれに選択的に係合可能な腕部を２本備えるとともに、上記手すりが２本以上の上記脚部を備え、
上記昇降用はしごの２本の上記腕部間の寸法と、上記手すりの２本の上記脚部間の寸法とをほぼ同寸法に設定したことを特徴とするケーシングドライバの作業用足場。
【請求項２】
上記手すりが、分割可能な複数の単位手すりを連設して成ることを特徴とする請求項１記載のケーシングドライバの作業用足場。
【請求項３】
上記保持手段が鉛直方向に延設される筒状体、及び棒状体のいずれか一方であるとともに、上記昇降用はしごの２本の腕部の先端部分の形状、及び上記単位手すりの上記２本以上の脚部の下端部分の形状のそれぞれを、上記保持手段に嵌挿可能な形状に設定したことを特徴とする請求項２記載のケーシングドライバの作業用足場。
【請求項４】
上記手すり及び上記保持手段を、上記足場部の周縁に沿って配置したことを特徴とする請求項１〜３のいずれか１項記載のケーシングドライバの作業用足場。
【発明の詳細な説明】
【０００１】
【発明の属する技術分野】
本発明は、土木、建築工事等のオールケーシング工法に使用される大口径鋼管杭等の圧入や引き抜きをおこなうケーシングドライバに付設されるケーシングドライバの作業用足場に関する。
【０００２】
【従来の技術】
図４は従来の作業用足場を含むケーシングドライバを示す平面図、図５は図４に示すケーシングドライバの作業用足場を示す平面図である。
【０００３】
図４に示すケーシングドライバは、先端に土砂等を掘削する掘削刃の取り付けられたケーシングＣが挿入される空間を有するベースフレーム１と、このベースフレーム１上に立設される複数のガイドフレーム２と、これらのガイドフレーム２に沿って昇降自在に設けられる昇降フレーム３と、この昇降フレーム３に取り付けられ、油圧モータで回転駆動されるリング状の回転体９と、この回転体９に取り付けられ、ケーシングＣの把持が可能なケーシング把持手段、すなわちケーシング掴みバンド４とを備えている。
【０００４】
このようなケーシングドライバの上方部分に付設される従来の作業用足場は、図５にも示すように、床面を形成する足場部５Ａと、この足場部５Ａ上に着脱可能に立設される手すり６と、足場部５Ａの周縁の複数箇所に設けられ、手すりを立設状態に保持する保持手段と、図５に示すように、足場部８の例えば四隅のそれぞれに設けられるブラケット８と、これらのブラケット８のいずれかに選択的に固定可能な昇降用はしご７とを備えている。
【０００５】
上述の手すり６は、分割可能な複数の単位手すりを連設して成るものであり、単位手すりは例えば２本の棒状体から成る脚部、あるいは３本の棒状体から成る脚部を備えている。また、上述の保持手段は、上述した単位手すりの棒状体から成る脚部が嵌挿可能な筒状体によって構成されている。
【０００６】
上述の手すり６は、作業者の落下防止のために足場部５Ａの周縁に沿って設けられているが、ケーシングＣ内にコンクリートを打設する場合には取り外されるようになっている。また、昇降用はしご７は作業者が地上から足場部５Ａに昇るためのものであるが、上述のブラケット８にボルトによって締結されるようになっている。足場部５Ａ上では、作業者はケーシングＣの継ぎ足し等の作業をおこなう。
【０００７】
【発明が解決しようとする課題】
上述した従来技術では、昇降用はしご７を足場部５Ａに取り付けるために４つのブラケットを設けてあり、部材数の増加を招いている。このため当該作業用足場の製作費用が高くなる問題がある。
【０００８】
なお、ケーシングドライバによる施工は建物の密集地でおこなわれることが多い。例えば、隣接する建物との境界際での施工などもしばしばおこなわれている。このような施工現場においては、隣接の建物などとの関係で昇降用はしご７を足場部５Ａに取り付けることが困難になったり、また、昇降用はしご７を足場部５Ａに取り付けることができたとしても、作業者の昇り降りが困難になる事態を生じやすい。このような場合、昇降用はしご７の取り付け位置を少しずらせば、取り付けが容易になったり、あるいは作業者が昇り降りしやすくなることが多い。
【０００９】
しかし、上述した従来技術にあっては、昇降用はしご７の取り付け位置が図５に示すブラケット８の位置、すなわち足場部５Ａの四隅に決められており、それ以外の位置には取り付けることができない。つまり四隅のいずれかの位置から少しずらした位置などには昇降用はしご７を取り付けることができない。したがって、このような場合には、作業上の不便はあっても他の隅にあるブラケット８に昇降用はしご７を取り付けるとか、取り付けの難しさや昇り降りの困難さがあることを承知の上で、境界際に近い当初の取り付け予定位置にあるブラケット８に昇降用はしご７を取り付けるようにしている。
【００１０】
また、上述のような様々の施工現場への対応を考えて、昇降用はしご７の取り付けが可能な位置をあらかじめ図５に示すものよりも増やしておくことが考えられる。しかし、このようにしようとするとブラケット８の数が増加することから当該作業用足場の製作費用がさらに高くなってしまう。
【００１１】
本発明は上記した従来技術における実状に鑑みてなされたもので、その目的は、昇降用はしごの取り付け用のブラケットを要することなく、昇降用はしごを足場部に取り付けることができるケーシングドライバの作業用足場を提供することにある。
【００１２】
【課題を解決するための手段】
この目的を達成するために本発明の請求項１に係る発明は、ケーシングを挿通する空間部を有するベースフレームと、このベースフレーム上に昇降自在に設けられる昇降フレームと、この昇降フレームに回転自在に取り付けられる回転体と、この回転体に取り付けられ、上記ケーシングを把持するケーシング把持手段とを有するケーシングドライバに付設され、床面を形成する足場部と、この足場部に着脱可能に立設される手すりと、上記足場部の複数箇所に配置され、上記手すりを立設状態に保持する保持手段と、上記足場部に着脱可能に取り付けられる昇降用はしごとを備えたケーシングドライバの作業用足場において、上記保持手段は、上記手すりの脚部が係合するものから成り、上記昇降用はしごが、上記複数の保持手段のそれぞれに選択的に係合可能な腕部を２本備えるとともに、上記手すりが２本以上の上記脚部を備え、上記昇降用はしごの２本の上記腕部間の寸法と、上記手すりの２本の上記脚部間の寸法とをほぼ同寸法に設定した構成にしてある。
【００１３】
このように構成した請求項１に係る発明では、足場部に昇降用はしごを取り付ける場合には、保持手段に保持されている手すりを外し、その手すりの外された保持手段に昇降用はしごの２本の腕部のそれぞれを係合させればよい。したがって、取り付け用のブラケットを要することなく、昇降用はしごを足場部に取り付けることができる。また、このように足場用はしごを取り付けるに際して、隣接する建物の境界際などであって取り付けが難しかったり、作業者による昇り降りが困難になる場合には、上述の保持手段に例えば隣接される別の保持手段に保持されている手すりを外し、その別の保持手段の方に足場用はしごの２本の腕部を係合させればよい。このように、施工現場の状況に応じて昇降用はしごの取り付け位置を変えることができる。
【００１４】
また、本発明の請求項２に係る発明は、請求項１に係る発明において、上記手すりが、分割可能な複数の単位手すりを連設して成ることを特徴としている。
【００１６】
また、本発明の請求項３に係る発明は、請求項２に係る発明において、上記保持手段が鉛直方向に延設される筒状体、及び棒状体のいずれか一方であるとともに、上記昇降用はしごの２本の腕部の先端部分の形状、及び上記単位手すりの上記２本以上の脚部の下端部分の形状のそれぞれを、上記保持手段に嵌挿可能な形状に設定したことを特徴としている。
【００１７】
また、本発明の請求項４に係る発明は、請求項１〜３のいずれか１項に係る発明において、上記手すり及び上記保持手段を、上記足場部の周縁に沿って配置したことを特徴としている。
【００１８】
【発明の実施の形態】
以下、本発明のケーシングドライバの作業用足場の実施形態を図に基づいて説明する。
図１は本発明の作業用足場の一実施形態を示す平面図、図２は図１のＡ部拡大断面図、図３は図１に示す一実施形態に備えられる昇降用はしごを示す正面図である。
【００１９】
なお、本実施形態の作業用足場はケーシングドライバに設けられるものであり、作業用足場部分を除くケーシングドライバの構成は前述した図４に示すものと同様である。重複するが、図４を用いて、このケーシングドライバの概略構成について簡単に説明する。
【００２０】
本実施形態が備えられるケーシングドライバも、図４に示すようにケーシングＣが挿入される空間を有するベースフレーム１と、このベースフレーム１上に立設されるガイドフレーム２と、このガイドフレーム２に沿って昇降自在な昇降フレーム３と、この昇降フレーム３に取り付けられる回転体９と、この回転体９に取り付けられ、ケーシングＣの把持が可能なケーシング把持手段、すなわちケージ掴みバンド４とを備えている。
【００２１】
このようなケーシングドライバに備えられる本実施形態、すなわち作業用足場５は、床面を形成する足場部５Ａと、この足場部５Ａに着脱可能に立設される手すり６と、足場部５Ａの複数箇所に配置され、手すり６を立設状態に保持する保持手段と、足場部５Ａに着脱可能に取り付けられる昇降用はしご７１とを備えるとともに、昇降用はしご７１が、前述の複数の保持手段のそれぞれに選択的に係合可能な係合部を有することを基本構成としている。
【００２２】
上述の手すり６は、分割可能な複数の単位手すりを鎖等の連結具を介して連設して成り、単位手すりは２本以上の脚部、例えば両側のそれぞれに配置される２本の棒状体より成る脚部を備えている。図１に示すように、単位手すりの脚部間の寸法は、あらかじめ所定寸法ａに設定してある。また、上述の保持手段は、例えば図２に示すように単位手すりの脚部のそれぞれが嵌挿可能な筒状体５１から成っており、この筒状体５１は手すり６に含まれる単位手すりの脚部の数に対応する数だけ設けてある。例えば足場部５Ａのほぼ全周縁に沿ってこの筒状体５１を固定してある。なお、筒状体５１内に嵌挿された手すり６の脚部は同図２に示すように、蝶ボルト５２を回して締結することにより固定される。
【００２３】
上述の昇降用はしご７１は、図３に示すように、上方部分に互いに対向する腕部を２本備えている。これらの腕部間の寸法は、前述した手すり６の単位手すりの脚部間の寸法である所定寸法ａとほぼ同寸法に設定してある。また、これらの腕部の先端部分には、手すり６の保持手段である多数の筒状体５１のそれぞれに選択的に係合可能な係合部、すなわち筒状体５１に嵌挿可能な棒状体７０を設けてある。
【００２４】
このように構成してある実施形態にあっては、昇降用はしご７１を取り付ける予定の足場部５Ａの位置には、単位手すりを取り付けることがなく、すなわち該当する位置にある一対の筒状体５１内に、昇降用はしご７１の腕部の一対の棒状体７０のそれぞれを嵌挿させ、図２に示す蝶ボルト５２を締結させればよい。その他の足場部５Ａの周縁には多数の単位手すりが配置される。これらの単位手すりは、脚部のそれぞれが該当する筒状体５１内に嵌入され、蝶ボルト５２で固定される。
【００２５】
これにより、例えば作業者は昇降用はしご７１を利用して地上から足場部５Ａに昇り、ケーシングＣの継ぎ足し等の必要な作業をおこなうことができる。このような作業に際し、足場部５Ａの周縁に沿って設けた手すり６により、作業者の落下の危険が防止され、安全が確保される。足場部５Ａにおける作業を終えた作業者は、昇降用はしご７１を利用して地上に戻ることができる。
【００２６】
また、図１に示すように、ケーシングドライバを配置する施工現場が例えば建物の密集地などであって、隣接の建物などの境界線１００が接近しており、予定していた取り付け位置に昇降用はしご７１を取り付けることができない場合などにあっては、その取り付け予定位置よりも少し境界線１００から離れる側の単位手すり６２の位置を、新たな昇降用はしごの取り付け位置と決めればよい。この場合には、前述の蝶ボルト５２をゆるめて単位手すり６２を外し、これによって露呈した２つの筒状体５１のそれぞれに昇降用はしごの腕部の一対の棒状体７０のそれぞれを嵌挿させ、蝶ボルト５２のそれぞれを回して固定する操作をおこなう。同図１の符号７２は、このようにして取り付け位置を当初の取り付け予定位置から別の位置に変更させた昇降用はしごを示している。なお、足場部５Ａでおこなわれる作業等を考慮して、図１の境界線１００よりもさらに遠くの例えば単位手すり６３の位置に昇降用はしごを取り付けたい場合には、上述と同様にして単位手すり６３を外して、この位置に昇降用はしご７３を取り付ければよい。
【００２７】
このように構成した本実施形態にあっては、足場部５Ａの周縁に沿って設けた筒状体５１が手すり６の保持手段と、昇降用はしご７１（７２，７３）を固定する手段を兼ねていることから、昇降用はしご７１（７２，７３）を固定するためのブラケットを設ける必要がなく、部材数を少なくすることができ、したがって本実施形態の作業用足場５の製作費用を安く抑えることができる。
【００２８】
また、建物の密集地などでケーシングドライバの施工がおこなわれているときであって、図１に示したようにケーシングドライバが境界線１００に接近し、予定していた位置に昇降用はしご７１を取り付けることができないような場合には、同図１の昇降用はしご７２で示すように、境界線１００から離れる方向に少しだけ取り付け位置を変更して取り付けることができ、種々の施工現場に対応させることができる。
【００２９】
なお、上述の実施形態では、手すり６に含まれる単位手すりは２本の脚部を有するものから成るが、この単位手すりは３本以上の脚部を有するものであってもよい。このような場合には、間に他の脚部を挟まないで互いに対向する脚部間の寸法を、昇降用はしご７１（７２，７３）の腕の所定寸法ａと同等の所定寸法ａに設定してもよく、また、間に他の脚部を挟んで位置する２本の脚部間の寸法を所定寸法ａに設定してもよい。
【００３０】
また、手すり６に含まれる単位手すりのうちの一部のものだけについて、その脚部間の寸法を所定寸法ａに設定し、他の単位手すりについては脚部間の寸法を所定寸法ａとは異なる適宜の寸法に設定する構成にしてもよい。
【００３１】
また、上述した実施形態では、手すり６のそれぞれの単位手すりを保持する保持手段を、図２に例示するように筒状体５１によって構成してあるが、この筒状体５１に代えて棒状体によって構成してもよい。この構成の場合には、手すり６のそれぞれの単位手すりの下端部の形状、及び昇降用はしご７１（７２，７３）の腕部の先端部分の形状を、前述の筒状体５１に代えた棒状体に嵌挿可能な形状の筒状体に設定すると都合がよい。このように構成したものも上述の実施形態と同等の作用効果が得られる。
【００３２】
また、手すり６を立設状態に保持する保持手段、すなわち、手すり６の脚部の下端部分と、昇降用はしご７１（７２，７３）の腕部の先端部分のそれぞれを保持し得る保持手段の構成は、種々のものを取り得る。
【００３３】
また、上述の実施形態では、足場部５Ａのほぼ全周縁に沿って手すり６、及びこの手すり６を保持する筒状体５１を設けてあるが、本発明はこれに限られず、足場部５Ａの一部分の周縁だけに沿って手すり６、及びこの手すり６を保持する筒状体５１を設ける構成にしてもよい。
【００３４】
【発明の効果】
以上のように本発明は、手すりの２本の脚部間の寸法と昇降用はしごの２本の腕部間の寸法をほぼ同寸法に設定した構成にしてあるので、昇降用はしごの２本の腕部を手すりの脚部を保持する保持手段に係合させるだけで、従来のような昇降用はしごの取り付け用のブラケットを要することなく、昇降用はしごを足場部に取り付けることができ、したがって部材数を少なくすることができ、当該作業用足場の製作費用を従来に比べて安く抑えることができる。
【００３５】
また、施工現場で昇降用はしごを取り付けるに際して境界線の関係などで昇降用はしごの取り付けが難しかったり、作業者による昇り降りが困難となるような場合には、その取り付けに支障を生じている取り付け予定位置の近傍であって、取り付け予定位置から離れたところにある単位手すりを外し、その単位手すりを保持していた保持手段に昇降用はしごを係合させればよく、施工現場の状況に臨機応変に対応させることができる。
【図面の簡単な説明】
【図１】本発明のケーシングドライバの作業用足場の一実施形態を示す平面図である。
【図２】図１のＡ部拡大断面図である。
【図３】図１に示す一実施形態に備えられる昇降用はしごを示す正面図である。
【図４】従来の作業用足場を含むケーシングドライバを示す正面図である。
【図５】図４に示すケーシングドライバの作業用足場を示す平面図である。
【符号の説明】
１    ベースフレーム
２    ガイドフレーム
３    昇降フレーム
４    ケーシング掴みバンド（ケーシング把持手段）
５    作業用足場
５Ａ  足場部
６    手すり
９    回転体
５１  筒状体（保持手段）
５２  蝶ボルト
６２  単位手すり
６３  単位手すり
７０  棒状体（係合部）
７１  昇降用はしご
７２  昇降用はしご
７３  昇降用はしご
１００  境界線
Ｃ      ケーシング
ａ      所定寸法
【図１】
0003694404.tif 000002
【図２】
0003694404.tif 000003
【図３】
0003694404.tif 000004
【図４】
0003694404.tif 000005
【図５】
0003694404.tif 000006